(57)【特許請求の範囲】
【請求項１】
ロッドを挿入する開口部を設けた支持具と、弾性材からなるサポーターとから構成し、支持具は扉に取り付ける取付面の上下面を折り曲げてロッドガイドを設け、さらに、取付面の側面を折り曲げてサポーターを保持する保持部を前記ロッドガイドと曲げ方向を同一として設けてロッドガイドの端面と保持部とにより開口部を形成し、また、保持部にサポーターを係合保持する係合孔を設けたものとしてなり、弾性材からなるサポーターは前記保持部により保持される保持面に係合孔に挿入する係合突起を突設し、また、上下面は折り曲げてロッド支持部９、９を設け、このロッド支持部は先端を開放して開口部を設けたロッド挿通孔を設けたものとしてなり、前記支持具の開口部にロッドを位置させたうえサポーターを該サポーターの保持面に突設した係合突起を保持部の係合孔に挿入して係合保持させ、ロッドをサポーターのロッド支持部に設けたロッド挿通孔で保持させたことを特徴とする鎖錠用ロッドの支持装置。
【発明の詳細な説明】
【０００１】
【発明の属する技術分野】
本発明は、例えば配電盤キャビネット、通信キャビネット、ラック等の電気電子機器を収納するキャビネットの扉の鎖錠用ロッドの支持装置に関するものである。
【０００２】
【従来の技術】
例えば電気電子機器収納用キャビネットは、内部の電気電子機器が不用意に操作されることを防止するために蝶番によって扉が取り付けられ、扉を閉じた状態で鎖錠できるようにしてある。このようなキャビネットの鎖錠装置は扉内面の上部と下部に設けた支持部に支持されたロッドを扉面に取り付けたハンドルの操作により上下動させ、ロッドの先端をキャビネットの上部及び下部の横フレームにそれぞれ係合させて扉を閉じた状態に保持するものが一般的である。こうした鎖錠装置のロッドの支持装置は最も簡単なものではロッドの外径に対して若干の余裕を持たせた孔を空けた金属板によって構成していた。
【０００３】
ところが、こうした従来のロッドの支持装置では、ロッドがロッドと金属板との接触によって支持されていることからロッドの上下動がスムーズではなく、扉の開閉時の扉の揺れでロッドが金属板に触れて不快な音を発するという問題があった。こうした問題に対しては、支持部にプラスティック製のスリーブを装着することが考えられたが、スリーブ装着時の作業性が悪く、ロッドを上下動させる間にスリーブが脱落してしまうという問題があり、また、折り曲げ部のあるロッドには適用できないという問題があった。
【０００４】
【発明が解決しようとする課題】
本発明は、上記の問題点を解決するためになされたもので、ロッドの装着が容易であり、操作時のロッドの動きがスムーズで扉の開閉時にも不快な音を発しない鎖錠用ロッドの支持装置を提供する。
【０００５】
【課題を解決するための手段】
上記の問題は、ロッドを挿入する開口部を設けた支持具と、弾性材からなるサポーターとから構成し、支持具は扉に取り付ける取付面の上下面を折り曲げてロッドガイドを設け、さらに、取付面の側面を折り曲げてサポーターを保持する保持部を前記ロッドガイドと曲げ方向を同一として設けてロッドガイドの端面と保持部とにより開口部を形成し、また、保持部にサポーターを係合保持する係合孔を設けたものとしてなり、弾性材からなるサポーターは前記保持部により保持される保持面に係合孔に挿入する係合突起を突設し、また、上下面は折り曲げてロッド支持部９、９を設け、このロッド支持部は先端を開放して開口部を設けたロッド挿通孔を設けたものとしてなり、前記支持具の開口部にロッドを位置させたうえサポーターを該サポーターの保持面に突設した係合突起を保持部の係合孔に挿入して係合保持させ、ロッドをサポーターのロッド支持部に設けたロッド挿通孔で保持させたことを特徴とする本発明の鎖錠用ロッドの支持装置によって解決できる。
【０００６】
【発明の実施の形態】
次に、本発明の実施の形態について具体的に説明する。
図１乃至４は実施の形態を示すものである。図１乃至４において、１は支持具であって、該支持具１には支持具１を扉に取り付ける取付面２を設け、取付面２の上下面を折り曲げてロッドガイド３、３を設け、さらに、取付面２の側面を折り曲げてサポーターを保持する保持部４を設ける。このロッドガイド３、３、保持部４を設ける際の取付面を折り曲げる曲げ方向は同一、ロッドガイド３、３の端面と保持部４とにより開口部であるロッド誘導部５を形成している。６は保持部４に設けたサポーターを係合保持する係合孔である。
【０００７】
７は例えば硬質ポリエチレン等の弾性材からなるサポーターであって、該サポーター７には保持部４により保持される保持面８を設け、該保持面８の上下面は折り曲げてロッド支持部９、９を設け、また、保持面８には係合孔６に挿入する係合突起１０を突設する。１１、１１はロッド支持部９，９に設けたロッド挿通孔であって、該ロッド挿通孔１１、１１は先端を開放して開口部１２、１２を設けている。
【０００８】
上記の支持具１の取付面２を扉Ｄの折り曲げ部分の上部と下部に溶接等で取り付け、図２に示すようにロッドＲをロッド誘導部５に位置させ、サポーター７を保持部４側に臨ませて矢印方向に移動する。図１に示すように係合突起１０を係合孔６に挿入し、保持面８を保持部４に保持させるとロッドＲは開口部１２、１２からロッド挿通孔１１、１１に入りロッド挿通孔１１、１１で保持される。ロッドＲの組み立て状態は図示していないが、従来同様上下のロッドの端部をクランク板に枢着して組み立てており、クランク板にハンドルを取り付けてハンドルの操作によるクランク板の回動によりロッドが上下させられるようになっている。この状態では、ロッドＲはサポーター７のロッド挿通孔１１、１１で保持されることからロッドＲの上下動はスムーズである。また、ロッドＲはクランク板により上下動させられることから首を振るような動きとなるが、サポーター７が係合突起１０を中心として回動可能であり、サポーター７自体が弾性を有することから問題なくロッドＲが支持でき、係合突起１０が係合孔６に挿入保持されていることからサポーター７が脱落することはない。サポーター７は扉Ｄを開いた状態で扉Ｄに向かって真っ直ぐ挿入、装着すればよいことからサポーター７の装着作業性は極めて良好である。
【０００９】
【００１０】
【００１１】
【００１２】
【００１３】
以上の実施の形態によれば、支持具１の開口部であるロッド誘導部５にロッドＲを位置させ、サポーター７を水平方向に挿入するという簡単な作業でロッドを装着することができると言う利点があり、折り曲げ部のあるロッドや先端にローラーを取り付けたロッドにも適用できる利点がある。
【発明の効果】
以上説明した本発明によれば、支持具の開口部にロッドを位置させてサポーターを支持具に挿入保持させる簡単な作業でロッドを装着することができ、ロッドが弾性材からなるサポーターにより支持されることから操作時のロッドの動きがスムーズで扉の開閉時にも不快な音を発しないという利点がある。
【図面の簡単な説明】
【図１】本発明の実施の形態を示す要部の横断平面図である。
【図２】本発明の実施の形態におけるサポーターを挿入する前の要部の横断平面図である。
【図３】本発明の実施の形態における支持具の形状を示す投影図である。
【図４】本発明の実施の形態におけるサポーターの形状を示す投影図である。
【符号の説明】
１  支持具
２  取付面
３  ロッドガイド
４  保持部
５  ロッド誘導部
６  係合孔
７  サポーター
８  保持面
９  ロッド支持部
１０  係合突起
１１  ロッド挿通孔
１２  開口部
【図１】
0003767887.tif 000002
【図２】
0003767887.tif 000003
【図３】
0003767887.tif 000004
【図４】
0003767887.tif 000005